(57)【要約】【課題】仕切板が確実に支持され、景品収納部の分離時に、景品収納部から景品が落下することのない包装箱を提供する。【解決手段】角筒状の周壁を形成するように側板１を繋ぎ、底面を底板３で閉じ、商品収納部１３の上方に景品収納部１４を設け、天面を蓋板５で閉止する景品収納部付き包装箱において、商品収納部１３と景品収納部１４の境界部分に、隣り合う側板１の稜部を切り欠いて、各側板１の上下から延びる折込片１１を設け、その中間に谷折線１２を入れ、折込片１１を谷折線１２に沿って重なり合うように折り込み、一側板１の上部から延出した仕切板７を対向する側板１へ向けて水平方向に折り曲げ、折込片１１で仕切板７を支持する。景品収納部１４を商品収納部１３から分離させても、仕切板７が直ちに開いて景品が落下することがない。【選択図】図４
2006290376.tif 000002
【特許請求の範囲】
【請求項１】
角筒状の周壁を形成するように側板１を繋ぎ、底面を底板３で閉じ、商品収納部１３の上方に景品収納部１４を設け、天面を蓋板５で閉止する景品収納部付き包装箱において、商品収納部１３と景品収納部１４の境界部分に、隣り合う側板１の稜部を切り欠いて、各側板１の上下から延びる折込片１１を設け、その中間に谷折線１２を入れ、折込片１１を谷折線１２に沿って重なり合うように折り込み、一側板１の上部から延出した仕切板７を対向する側板１へ向けて水平方向に折り曲げ、折込片１１で仕切板７を支持するようにしたことを特徴とする景品収納部付き包装箱。
【請求項２】
前記仕切板７を、側板１を上端から下方へ切り込んで形成したことを特徴とする請求項１に記載の景品収納部付き包装箱。
【請求項３】
前記仕切板７を、側板１の上端に折下板１５を介して連設し、折下板１５を側板１の内面に沿って下方へ折り曲げ、折下板１５に対して仕切板７を屈曲させるようにしたことを特徴とする請求項１に記載の景品収納部付き包装箱。
【発明の詳細な説明】
【技術分野】
【０００１】
この発明は、商品に付属させる景品の収納部を備えた包装箱に関するものである。
【背景技術】
【０００２】
従来、この種の包装箱として、下記特許文献１に記載されたようなものが提案されている。この包装箱は、角筒状の周壁を形成する側板に切裂帯を巡らせ、一側板の上縁から折下板及び仕切板を順次延出し、折下板を内側下方へ折り曲げ、仕切板を対向する側板へ向けて水平方向へ折り曲げ、その下方を商品収納部とし、上方を景品収納部として、切裂帯の切断に伴い、景品収納部が商品収納部から分離するようにしたものである。
【０００３】
【特許文献１】登録実用新案第３１０１５５２号公報
【発明の開示】
【発明が解決しようとする課題】
【０００４】
ところで、上記のような包装箱では、景品収納部を商品収納部から分離させると、景品収納部の底面をなす仕切板が景品の自重で開くので、景品を容易に取り出すことができるが、このとき、景品が不意に落下することもある。
【０００５】
そこで、この発明は、仕切板が確実に支持され、景品収納部の分離時に、景品収納部から景品が落下することのない包装箱を提供しようとするものである。
【課題を解決するための手段】
【０００６】
上記課題を解決するため、この発明は、角筒状の周壁を形成するように側板を繋ぎ、底面を底板で閉じ、商品収納部の上方に景品収納部を設け、天面を蓋板で閉止する景品収納部付き包装箱において、商品収納部と景品収納部の境界部分に、隣り合う側板の稜部を切り欠いて、各側板の上下から延びる折込片を設け、その中間に谷折線を入れ、折込片を谷折線に沿って重なり合うように折り込み、一側板の上部から延出した仕切板を対向する側板へ向けて水平方向に折り曲げ、折込片で仕切板を支持するようにしたのである。
【０００７】
なお、前記仕切板は、側板を上端から下方へ切り込んで形成してもよく、また、側板の上端に折下板を介して連設し、折下板を側板の内面に沿って下方へ折り曲げ、折下板に対して仕切板を屈曲させるようにしてもよい。
【発明の効果】
【０００８】
このような包装箱では、仕切板が折込片で支持されているので、景品収納部を商品収納部から分離させても、仕切板が直ちに開いて景品が落下することはない。そして、折下板を下方へ折り曲げて、仕切板の支持を解除すると、仕切板が開くので、景品を受け止める準備をして取り出すことができる。
【発明を実施するための最良の形態】
【０００９】
以下、この発明の実施形態を添付図面に基づいて説明する。
【００１０】
図１に示す第１実施形態のブランクでは、４枚の側板１が連設され、一端の側板１の外側に継代片２が連設されている。各側板１の下端には底板３が連設され、対向する２枚の側板１の上端には蓋受片４が、その間の側板１の上端には順次蓋板５及び差込片６が連設されている。他の側板１の上部には、上端から下方へ切り込んで形成した仕切板７が連設され、その先端縁には指掛用の切欠部８が形成されている。
【００１１】
４枚の側板１及び継代片２には、上端との間に間隔をあけて、ジッパ型の切裂帯９が設けられ、側板１の上部から蓋板５にかけて、内部の景品を見せる窓穴１０が形成されている。また、窓穴１０に対応して、蓋受片４の角部が切り欠かれている。
【００１２】
そして、４枚の側板１の上端と切裂帯９の間には、周壁の稜部となる部分を横向きＶ字状に切り欠いて、上下から延びる折込片１１が設けられ、その中間には谷折線１２が入れられている。仕切板７は、折込片１１と罫線を介して接するようになっている。
【００１３】
上記のようなブランクを組み立てて、図２に示すように、商品の飲料瓶Ｂと景品Ｃとを包装するには、４枚の側板１を角筒状に折り曲げ、継代片２を反対側の側板１に貼り付けて周壁を形成し、図示省略した底板３により底面を閉止し、箱の下方に形成された商品収納部１３に飲料瓶Ｂを収納する。
【００１４】
次に、四方の折込片１１を谷折線１２に沿って重なり合うように折り込み、図３に示すように、両側の折込片１１を上方へ折り曲げて保持した状態で、仕切板７を対向する側板１へ向けて水平方向に折り曲げ、仕切板７を基端側及び先端側の折込片１１で下方から支持すると共に、両側の折込片１１を復元させて、上方から押さえ込むようにする。
【００１５】
そして、景品Ｃを仕切板７の上方に形成された景品収納部１４に収納して、図４に示すように、蓋受片４を内側へ折り曲げ、蓋板５を閉じ、差込片６を蓋受片４と側板１の間に差し込むと、商品収納部１３及び景品収納部１４が封緘される。このとき、仕切板７の抜出穴がやや長めの差込片６で覆われて、隙間の発生が防止される。
【００１６】
このような包装状態では、窓穴１０から景品Ｃが見えるので、店頭に陳列しておくと、消費者の興味を惹きつけて、購買意欲を喚起することができ、また、景品Ｃは窓穴１０から抜き出せず、蓋板５は両端でロックされて極めて開きにくいので、切裂帯９を切断して開封しない限り、景品Ｃが持ち去られることはない。
【００１７】
一方、この包装箱から飲料瓶Ｂ及び景品Ｃを取り出す際には、図５に示すように、切裂帯９を周壁の全周に亘って切断すると、図６に示すように、商品収納部１３と景品収納部１４とが分離され、商品収納部１３の上端が開口するので、飲料瓶Ｂを持ち上げて取り出すことができる。
【００１８】
また、景品収納部１４において、仕切板７を支持している折込片１１を下方へ折り曲げて、仕切板７の支持を解除し、切欠部８に指を掛けて仕切板７を開くことができるので、景品Ｃを受け止める準備をして取り出すことができる。
【００１９】
なお、上記第１実施形態では、仕切板７を、側板１を上端から下方へ切り込んで形成したが、図７乃至図１０に示す第２実施形態のように、側板１の上端に折下板１５を介して仕切板７を連設し、折下板１５を側板１の内面に沿って下方へ折り曲げ、折下板１５に対して仕切板７を屈曲させるようにしてもよい。この場合、差込片６が短くても、景品収納部１４の外周に隙間が生じることがない。
【００２０】
また、上記各実施形態では、周壁が四角筒のものを例示したが、周壁を六角筒等の多角筒としたものにおいても、上記のような構成を適用することができる。
【図面の簡単な説明】
【００２１】
【図１】この発明の第１実施形態に係る包装箱のブランクを示す図
【図２】同上の商品収納後の組立過程を示す斜視図
【図３】同上の景品収納時の組立過程を示す斜視図
【図４】同上の封緘状態を示す斜視図
【図５】同上の開封過程を示す斜視図
【図６】同上の開封状態を示す斜視図
【図７】この発明の第２実施形態に係る包装箱のブランクを示す図
【図８】同上の商品収納後の組立過程を示す斜視図
【図９】同上の封緘状態を示す斜視図
【図１０】同上の開封状態を示す斜視図
【符号の説明】
【００２２】
１  側板
２  継代片
３  底板
４  蓋受片
５  蓋板
６  差込片
７  仕切板
８  切欠部
９  切裂帯
１０  窓穴
１１  折込片
１２  谷折線
１３  商品収納部
１４  景品収納部
１５  折下板
Ｂ  飲料瓶
Ｃ  景品
【図１】
2006290376.tif 000003
【図２】
2006290376.tif 000004
【図３】
2006290376.tif 000005
【図４】
2006290376.tif 000006
【図５】
2006290376.tif 000007
【図６】
2006290376.tif 000008
【図７】
2006290376.tif 000009
【図８】
2006290376.tif 000010
【図９】
2006290376.tif 000011
【図１０】
2006290376.tif 000012